(57)【要約】【課題】簡易な構成で、効率よく液体を回収することができる液体回収装置を提供すること。【解決手段】液体回収装置１０は、液体を回収する回収部１と、回収部１に繋がり、回収部１で回収した液体を収容する収容部２と、を備え、被着体５０に装着されることで回収部１と収容部２とで形成される領域を負圧とすることが可能な構成である。回収部１は、被着体５０と接触する面側から離れる方向に向かって、面積が減少する部位（断面積減少部１２）を有するものである。回収部１は、可撓性材料で形成された可撓性材料部１１を有するものである。収容部２は、回収部１の構成部材（可撓性材料部１１）よりも剛性の高い部位（硬質材料部２２）を備えるものである。【選択図】図１
2017063973.tif 000002
【特許請求の範囲】
【請求項１】
液体を回収する回収部と、
前記回収部に繋がり、前記回収部で回収した液体を収容する収容部と、を備え、
被着体に装着された状態で、前記回収部に前記被着体から離間する方向に力が加わることで前記回収部と前記収容部とで形成される領域を負圧とする構成であることを特徴とする液体回収装置。
【請求項２】
前記回収部は筒部を備え、
前記筒部は、第１の開口面積を備え被着体に接触可能な第１の開口部と、前記第１の開口面積よりも小さい開口面積を備えた第２の開口部と、を備え、
前記第２の開口部で前記収容部と繋がることを特徴とする請求項１に記載の液体回収装置。
【請求項３】
前記収容部の構造部材の一部が前記回収部の構造部材を構成している請求項１または２に記載の液体回収装置。
【請求項４】
前記回収部は、可撓性材料で構成された部位を有するものである請求項１ないし３のいずれか１項に記載の液体回収装置。
【請求項５】
前記収容部は、前記回収部の構成部材よりも剛性の高い部位を備えるものである請求項１ないし４のいずれか１項に記載の液体回収装置。
【請求項６】
前記収容部の容積は、前記回収部の容積より小さいものである請求項１ないし５のいずれか１項に記載の液体回収装置。
【請求項７】
前記収容部に、前記液体中に含まれる成分を検出するセンサーを備えている請求項１ないし６のいずれか１項に記載の液体回収装置。
【請求項８】
前記センサーは、所定の物質による刺激により膨張または収縮する刺激応答性ゲルを含む材料で構成されたものである請求項７に記載の液体回収装置。
【請求項９】
前記収容部は、前記回収部の前記第１の開口部が形成する領域と平行な断面を含む平面中に存在するものである請求項１ないし８のいずれか１項に記載の液体回収装置。
【請求項１０】
前記平面において、前記収容部は、前記回収部の外周側に設けられている請求項９に記載の液体回収装置。
【請求項１１】
前記回収部は、前記平面での断面形状が円形であり、
前記収容部は、前記平面での断面形状がリング状である請求項９または１０に記載の液体回収装置。
【請求項１２】
被着体に装着して用いられる液体回収装置であって、
前記被着体に接触可能な第１の開口部を有する回収部と、
前記回収部に繋がり、前記第１の開口部より小さい開口面積を備え、前記回収部から供給された液体を収容する収容部と、を備え、
前記収容部の構造部材の一部が前記回収部の構造部材を構成し、
前記回収部は、可撓性材料で形成されていることを特徴とする液体回収装置。
【発明の詳細な説明】
【技術分野】
【０００１】
本発明は、液体回収装置に関する。
【背景技術】
【０００２】
現在、体内生体情報を取得する方法として、採血により得られた血液中の組成を調べる生化学検査が通常行われている。この検査は、医療機関にて実施されることがほとんどである。
【０００３】
そのなかで、血糖値センサーは、糖尿病患者に普及しており、また簡易乳酸センサーは、アスリートに普及しつつある。
しかし、これらは、いずれも採血による侵襲的手法を用いた検査手法である。
【０００４】
これに対し、非侵襲的手法を適用したものとして、汗中成分を対象とするセンサー研究が行われている。
【０００５】
汗を回収するための装置（汗回収装置）としては、例えば、特許文献１に記載のものがある。
【０００６】
この汗回収装置では、発汗促進部と、汗回収部が同一チップ上に形成されており、発汗促進部によって発汗が促された後、汗回収部を発汗が促進された部位にスライドさせることにより、汗の回収を行うように構成されている。
【０００７】
しかしながら、上記のような汗回収装置では、以下のような問題がある。
すなわち、上記のような汗回収装置では、皮膚（液体の供給源）上を、発汗促進部、汗回収部がスライドするため、汗の飛散、回収率の低下等の問題を生じるとともに、汗回収装置（液体回収装置）の構造が複雑化する。
【先行技術文献】
【特許文献】
【０００８】
【特許文献１】特開２００９−２４７４４０号公報
【発明の概要】
【発明が解決しようとする課題】
【０００９】
簡易な構成で、効率よく液体を回収することができる液体回収装置を提供することにある。
【課題を解決するための手段】
【００１０】
本発明の液体回収装置は、液体を回収する回収部と、
前記回収部に繋がり、前記回収部で回収した液体を収容する収容部と、を備え、
被着体に装着された状態で、前記回収部に前記被着体から離間する方向に力が加わることで前記回収部と前記収容部とで形成される領域を負圧とする構成であることを特徴とする。
【００１１】
これにより、簡易な構成で、効率よく液体を回収することができる液体回収装置を提供することができる。
【００１２】
本発明の液体回収装置では、前記回収部は筒部を備え、
前記筒部は、第１の開口面積を備え被着体に接触可能な第１の開口部と、前記第１の開口面積よりも小さい開口面積を備えた第２の開口部と、を備え、
前記第２の開口部で前記収容部と繋がることが好ましい。
【００１３】
これにより、被着体から供給された液体を、より効率よく収容部へと導くことができ、液体の回収効率をより優れたものとすることができる。
【００１４】
本発明の液体回収装置では、前記収容部の構造部材の一部が前記回収部の構造部材を構成していることが好ましい。
【００１５】
これにより、液体回収装置の構造をより簡易なものとすることができ、液体回収装置の構成部材をより少ないものとすることができる。
【００１６】
本発明の液体回収装置では、前記回収部は、可撓性材料で構成された部位を有するものであることが好ましい。
【００１７】
これにより、例えば、可撓性材料で構成された部位を吸盤として機能させることができ、液体回収装置内の空間（回収部、収容部）を、より容易に負圧とすることができ、液体の回収率をより高いものとすることができる。
【００１８】
本発明の液体回収装置では、前記収容部は、前記回収部の構成部材よりも剛性の高い部位を備えるものであることが好ましい。
これにより、液体回収装置の強度、耐久性をより優れたものとすることができる。
【００１９】
本発明の液体回収装置では、前記収容部の容積は、前記回収部の容積より小さいものであることが好ましい。
【００２０】
これにより、液体回収装置の外部から回収部への液体の流通をより円滑に行うことができるとともに、回収部から収容部への液体の流通をより円滑に行うことができ、液体の回収効率をより優れたものとすることができる。
【００２１】
本発明の液体回収装置は、前記収容部に、前記液体中に含まれる成分を検出するセンサーを備えていることが好ましい。
【００２２】
これにより、液体中に含まれる特定成分の検出等を好適に行うことができる。特に、液体回収装置の内部に導かれた液体を液体回収装置の外部に移動させることなく、液体回収装置の内部において特定成分の検出等を好適に行うことができる。また、収容部にセンサーが配されていることにより、センサーに液体を安定的に接触させることができ、センサーによる検出の精度、信頼性をより優れたものとすることができる。特に、少量の液体であっても好適に特定成分の検出を行うことができる。
【００２３】
本発明の液体回収装置では、前記センサーは、所定の物質による刺激により膨張または収縮する刺激応答性ゲルを含む材料で構成されたものであることが好ましい。
【００２４】
これにより、特定成分の検出精度を優れたものとしつつ、液体回収装置の構成が大型化、複雑化するのを効果的に抑制することができる。
【００２５】
本発明の液体回収装置では、前記収容部は、前記回収部の前記第１の開口部が形成する領域と平行な断面を含む平面中に存在するものであることが好ましい。
これにより、液体回収装置が大型化するのを効果的に抑制することができる。
【００２６】
本発明の液体回収装置では、前記平面において、前記収容部は、前記回収部の外周側に設けられていることが好ましい。
【００２７】
これにより、液体回収装置の外部から回収部への液体の流通をより円滑に行うことができるとともに、回収部から収容部への液体の流通をより円滑に行うことができ、液体の回収効率をより優れたものとすることができる。また、液体回収装置が大型化するのをより効果的に抑制することができる。
【００２８】
本発明の液体回収装置では、前記回収部は、前記平面での断面形状が円形であり、
前記収容部は、前記平面での断面形状がリング状であることが好ましい。
【００２９】
これにより、液体回収装置の外部から回収部への液体の流通をより円滑に行うことができるとともに、回収部から収容部への液体の流通をより円滑に行うことができ、液体の回収効率をより優れたものとすることができる。また、液体回収装置が大型化するのをより効果的に抑制することができる。
【００３０】
本発明の液体回収装置は、被着体に装着して用いられる液体回収装置であって、
前記被着体に接触可能な第１の開口部を有する回収部と、
前記回収部に繋がり、前記第１の開口部より小さい開口面積を備え、前記回収部から供給された液体を収容する収容部と、を備え、
前記収容部の構造部材の一部が前記回収部の構造部材を構成し、
前記回収部は、可撓性材料で形成されていることを特徴とする。
【００３１】
これにより、簡易な構成で、効率よく液体を回収することができる液体回収装置を提供することができる。
【図面の簡単な説明】
【００３２】
【図１】液体回収装置の好適な実施形態を説明するための模式的な断面図である。
【図２】図１に示す液体回収装置の模式的な平面図である。
【図３】液体回収装置の使用方法の好適な実施形態を示すフローチャートである。
【発明を実施するための形態】
【００３３】
以下、添付する図面を参照しつつ、好適な実施形態について詳細な説明をする。
《液体回収装置》
以下、液体回収装置について説明する。
【００３４】
図１は、液体回収装置の好適な実施形態を説明するための模式的な断面図であり、図２は、図１に示す液体回収装置の模式的な平面図である。
【００３５】
液体回収装置１０は、被着体５０に装着されることにより、液体を回収する機能を有するものである。
【００３６】
図示のように、液体回収装置１０は、液体を回収する回収部１と、回収部１に繋がり、回収部１で回収した液体を収容する収容部２とを備えている。
【００３７】
そして、液体回収装置１０は、被着体５０に装着されることで回収部１と収容部２とで形成される領域を負圧とすることができるように構成されている。
【００３８】
これにより、被着体５０から供給される液体を、液体回収装置１０内の空間（回収部１、収容部２）に効率よく導くことができる。特に、液体回収装置１０を被着体５０に装着した後に、液体回収装置１０の構成部材を移動させる必要がないため、液体回収装置１０の構成を簡易なものとすることができるとともに、液体の回収率の低下等の問題の発生を効果的に抑制することができる。
【００３９】
また、回収部１と収容部２とで形成される領域を負圧とすることにより、ベルト、バンド等の固定部材を用いなくても、液体回収装置１０を被着体５０に好適に固定することができる。また、固定部材を用いる場合であっても、固定部材による固定力を比較的弱いものとすることができるため、安価な固定部材を用いることができたり、固定部材の選択の幅を広げたりすることができる。また、固定部材による固定力を比較的弱いものとすることができるため、被着体５０の液体回収装置１０が装着される部位以外に加わる外力をより小さいものとすることができ、被着体５０への負担をより小さいものとすることができる。
【００４０】
また、例えば、液体として、被着体である皮膚から供給される汗を採取（回収）する場合、従来においては、発汗促進剤により、強制的に発汗を促進していたが、このような場合、汗成分が変質する可能性があり、また、皮膚に密着した発汗促進剤の残渣が汗に混入し成分変質を生じるおそれがある。これに対し、液体回収装置１０では、発汗促進剤を用いる必要がないため、上記のような問題の発生を効果的に抑制することができる。
【００４１】
＜回収部＞
回収部１は、被着体５０から供給された液体を回収し、液体回収装置１０の内部に導入する導入部として機能するものである。
【００４２】
回収部１は、可撓性材料で構成された可撓性材料部１１を有するものである。
これにより、例えば、可撓性材料部１１を吸盤として機能させることができ、液体回収装置１０内の空間（回収部１、収容部２）を、より容易に負圧とすることができ、液体の回収率をより高いものとすることができる。より詳しくは、回収部１を被着体５０に押し当てて装着すると、回収部１が可撓性材料部１１で構成されているため、装着後に回収部１（可撓性材料部１１）の復元力により元の形状に戻ろうとする。元に戻ろうとする力は、被着体５０から離間する方向の力となるため、液体回収装置１０内の空間（回収部１、収容部２）を容易に負圧とすることができる。
【００４３】
また、ポンプ等の部材を用いることなく、液体回収装置１０内の空間（回収部１、収容部２）を、好適に負圧とすることができるため、液体回収装置１０の構成をより簡易なものとすることができる。
【００４４】
また、液体回収装置１０の装着時における被着体５０への負担をより小さいものとすることができる。
【００４５】
可撓性材料としては、例えば、天然ゴム、ブチルゴム、イソプレンゴム、ブタジエンゴム、スチレン−ブタジエンゴム、シリコーンゴム、フッ素ゴムのような各種ゴム材料、ジメチルポリシロキサン等のシリコーン系材料、ポリウレタン系、ポリエステル系、ポリアミド系、オレフィン系、スチレン系等の各種熱可塑性エラストマー、ポリウレタン等が挙げられ、これらから選択される１種または２種以上を組み合わせて用いることができる。
【００４６】
回収部１は、被着体５０と接触する面側から離れる方向（液体の流通方向。図中の上側）に向かって、面積が減少（漸減）する断面積減少部（断面積漸減部もしくは筒部）１２を有している。言い換えると、回収部１は、被着体５０によって覆われる第１の開口を形成する第１の開口部１３（図１において、可撓性材料部１１と被着体５０とが接触する部分）と収容部２に繋がる第２の開口を形成する第２の開口部１４（回収部１と収容部２とが繋がる部分）を備えている。そして、回収部１の第１の開口部１３から第２の開口部１４への方向（第１の開口部１３と第２の開口部１４との離間方向）に垂直な断面の面積が、第１の開口部１３から第２の開口部１４に向かって減少している。さらに言い換えると、第２の開口部１４の開口面積は第１の開口部１３の開口面積より小さくなっている。
【００４７】
これにより、被着体５０から供給された液体を、より効率よく収容部へと導くことができ、液体の回収効率をより優れたものとすることができる。
【００４８】
特に、図示の構成では、回収部１の厚さ方向（液体の流通方向）全体にわたって断面積減少部１２が設けられている。これにより、前述したような効果がより顕著に発揮される。
【００４９】
本実施形態では、回収部１は、液体の流通方向（被着体の装着面の法線方向）での断面を含む平面での断面形状が円形である（図２参照）。
【００５０】
これにより、液体回収装置１０の外部から回収部１への液体の流通をより円滑に行うことができるとともに、回収部１から収容部２への液体の流通をより円滑に行うことができ、液体の回収効率をより優れたものとすることができる。
【００５１】
回収部１の容積は、特に限定されないが、２ｍｍ３以上５００ｍｍ３以下であるのが好ましく、１００ｍｍ３以上２００ｍｍ３以下であるのがより好ましい。なお、回収部１の容積は、断面積減少部１２と第１の開口部１３と第２の開口部１４とによって形成される領域と定義される。
【００５２】
これにより、液体回収装置１０の外部から回収部１への液体の流通をより円滑に行うことができるとともに、回収部１から収容部２への液体の流通をより円滑に行うことができ、液体の回収効率をより優れたものとすることができる。特に、被着体５０から供給される液体の量が比較的少ない場合であっても、液体回収装置１０の外部から回収部１への液体の流通、回収部１から収容部２への液体の流通をより円滑に行うことができ、液体の回収効率をより優れたものとすることができる。
【００５３】
＜収容部＞
収容部２は、回収部１に繋がり、回収部１で回収した液体を収容する部位である。
【００５４】
このような収容部２を備えることにより、例えば、回収部１を介して外部から液体回収装置１０の内部に導入された液体を好適に保持することができる。また、後に説明するようなセンサー３を用いて、液体の分析（特定成分の検出等）を好適に行うことができる。
【００５５】
本実施形態では、収容部２の構造部材の一部が回収部１の構造部材を構成している。
すなわち、前述した可撓性材料部１１が、収容部２を画成する壁部として機能している。
【００５６】
このような構成により、液体回収装置１０の構造をより簡易なものとすることができ、液体回収装置１０の構成部材をより少ないものとすることができる。
【００５７】
また、収容部２は、回収部１の構成部材である可撓性材料部１１よりも剛性の高い部位である硬質材料部２２を備えている。
これにより、液体回収装置１０の強度、耐久性をより優れたものとすることができる。
【００５８】
特に、本実施形態では、硬質材料部２２は、液体回収装置１０の外表面側の壁部に相当する部位を構成している。
【００５９】
これにより、前述した効果がより顕著に発揮されるとともに、液体回収装置１０の小型化を図る上でも有利である。
【００６０】
収容部２の容積は、回収部１の容積より小さいものであるのが好ましい。
これにより、液体回収装置１０の外部から回収部１への液体の流通をより円滑に行うことができるとともに、回収部１から収容部２への液体の流通をより円滑に行うことができ、液体の回収効率をより優れたものとすることができる。
【００６１】
収容部２の容積（後述するセンサー３が占める領域の体積を含む）は、特に限定されないが、１ｍｍ３以上４００ｍｍ３以下であるのが好ましく、５０ｍｍ３以上２５０ｍｍ３以下であるのがより好ましい。なお、収容部２の容積は、可撓性材料部１１と第２の開口部１４と硬質材料部２２とによって定義される。
【００６２】
これにより、液体回収装置１０が大型化するのを効果的に防止しつつ、液体の分析等を行うのに十分な量の液体を収容することができる。
【００６３】
図示のように、収容部２の少なくとも一部は、回収部１での液体の流通方向（被着体５０の装着面の法線方向）での断面を含む平面中に存在するものであるのが好ましい。言い換えると収容部２は、回収部１の断面（図１において、可撓性材料部１１と被着体５０とが接触している面内で可撓性材料部１１が囲う領域から回収部１と収容部２とが繋がる部分の離間方向に垂直な断面）を含む平面中に存在するものであることが好ましい。
【００６４】
これにより、液体回収装置１０が大型化するのを効果的に抑制することができる。また、本実施形態のように、液体回収装置１０がセンサーを備えるものである場合に、センサー３による特定成分の検出をより好適に行うことができる。
【００６５】
特に、本実施形態では、前記平面において、収容部２は、回収部１の外周側に設けられている。
【００６６】
これにより、液体回収装置１０の外部から回収部１への液体の流通をより円滑に行うことができるとともに、回収部１から収容部２への液体の流通をより円滑に行うことができ、液体の回収効率をより優れたものとすることができる。また、液体回収装置１０が大型化するのをより効果的に抑制することができる。また、本実施形態のように、液体回収装置１０がセンサーを備えるものである場合に、センサー３による特定成分の検出をさらに好適に行うことができる。
【００６７】
本実施形態では、収容部２は、前記平面（液体の流通方向（被着体の装着面の法線方向）での断面）での断面形状がリング状である（図２参照）。
【００６８】
これにより、回収部１から収容部２への液体の流通をより円滑に行うことができ、液体の回収効率をより優れたものとすることができる。また、液体回収装置１０が大型化するのをより効果的に抑制することができる。また、本実施形態のように、液体回収装置１０がセンサーを備えるものである場合に、センサー３による特定成分の検出をさらに好適に行うことができる。
【００６９】
特に、本実施形態では、液体の流通方向（被着体の装着面の法線方向）での断面を含む平面での、回収部１の断面形状が円形であり、かつ、収容部２の断面形状がリング状（特に、回収部１の円形と同心円状のリンク状）である（図２参照）。
【００７０】
これにより、液体回収装置１０の外部から回収部１への液体の流通をより円滑に行うことができるとともに、回収部１から収容部２への液体の流通をより円滑に行うことができ、液体の回収効率をより優れたものとすることができる。また、液体回収装置１０が大型化するのをより効果的に抑制することができる。また、本実施形態のように、液体回収装置１０がセンサーを備えるものである場合に、センサー３による特定成分の検出をさらに好適に行うことができる。
【００７１】
＜センサー＞
本実施形態では、収容部２に、液体中に含まれる成分を検出するセンサー３が配されている。
【００７２】
これにより、液体中に含まれる特定成分の検出等を好適に行うことができる。特に、液体回収装置１０の内部に導かれた液体を液体回収装置１０の外部に移動させることなく、液体回収装置１０の内部において特定成分の検出等を好適に行うことができる。また、収容部２にセンサー３が配されていることにより、センサー３に液体を安定的に接触させることができ、センサー３による検出の精度、信頼性をより優れたものとすることができる。特に、少量の液体であっても好適に特定成分の検出を行うことができる。
【００７３】
センサー３は、所定の物質（特定成分）による刺激により膨張または収縮する刺激応答性ゲルを含む材料で構成されたもの（ゲルセンサー）であるのが好ましい。
【００７４】
これにより、特定成分の検出精度を優れたものとしつつ、液体回収装置１０の構成が大型化、複雑化するのを効果的に抑制することができる。
【００７５】
図示の構成では、センサー３が、収容部２を画成する壁部のうち硬質材料部２２に選択的に接触するように配置されており、可撓性材料部１１（特に、被着体５０への装着時に変形する部位）には接触していない。
【００７６】
これにより、例えば、液体回収装置１０の被着体５０への装着時におけるセンサー３の不本意な変形等をより効果的に抑制することができ、センサー３による液体中に含まれる特定成分の検出精度をより優れたものとすることができる。このような効果は、センサー３がゲルセンサーである場合により顕著に発揮される。
【００７７】
また、センサー３がゲルセンサーである場合に、当該ゲルセンサーが液体に含まれる特定成分に反応して膨張した際に、当該ゲルセンサーが可撓性材料部１１を押圧し、液体回収装置１０の被着体５０に対する密着性を低下させてしまうという問題の発生をより効果的に抑制することができる。
【００７８】
収容部２の容積全体に対するセンサー３が占める割合（センサー３が可逆的に膨張または収縮する刺激応答性ゲルを含む材料で構成されたものである場合には、膨張状態での割合）は、５体積％以上８０体積％以下であるのが好ましく、１０体積％以上７０体積％以下であるのがより好ましい。
【００７９】
これにより、液体回収装置１０が大型化するのを効果的に抑制しつつ、液体の流通性、センサーによる検出精度等をより優れたものとすることができる。
【００８０】
以下、センサー３がゲルセンサーである場合の当該ゲルセンサーを構成するゲル材料（刺激応答性ゲルを含む材料）について詳細に説明する。
【００８１】
《ゲル材料》
センサー３を構成するゲル材料は、液体に含まれる所定の物質（特定成分）による刺激により可逆的に膨張または収縮する刺激応答性ゲルを含むものである。
【００８２】
＜刺激応答性ゲル＞
刺激応答性ゲルは、所定の物質による刺激に対して反応するものであれば、いかなる材料で構成されたものであってもよいが、通常、架橋構造を有する高分子材料と、溶媒とを含む材料で構成されたものである。
【００８３】
（高分子材料（ポリマー））
刺激応答性ゲルを構成する高分子材料は、特定の刺激を検出するうえで重要な成分であり、その構造は、検出すべき刺激の種類によって異なる。なお、刺激とは種々の化学反応および物理的な作用などを指す。
【００８４】
刺激応答性ゲルを構成する高分子材料は、特に限定されず、検出すべき刺激によって、選択することができる。
【００８５】
以下、刺激応答性ゲルを構成する高分子材料の具体例について説明する。
刺激応答性ゲルを構成する高分子材料としては、例えば、単量体（モノマー）、重合開始剤、架橋剤等を反応させることにより得られたものを用いることができる。
【００８６】
単量体としては、例えば、アクリルアミド、Ｎ−メチルアクリルアミド、Ｎ−イソプロピルアクリルアミド、Ｎ，Ｎ−ジメチルアクリルアミド、Ｎ，Ｎ−ジメチルアミノプロピルアクリルアミド、Ｎ，Ｎ−ジメチルアミノプロピルアクリルアミド各種四級塩、アクリロイルモルホリン、Ｎ，Ｎ−ジメチルアミノエチルアクリレート各種四級塩、アクリル酸、各種アルキルアクリレート、メタクリル酸、各種アルキルメタクリレート、２−ヒドロキシエチルメタクリレート、グリセロールモノメタクリレート、Ｎ−ビニルピロリドン、アクリロニトリル、スチレン、ポリエチレングリコールジアクリレート、１，６−ヘキサンジオールジアクリレート、ネオペンチルグリコールジアクリレート、トリプロピレングリコールジアクリレート、ポリプロピレングリコールジアクリレート、２，２−ビス〔４−（アクリロキシジエトキシ）フェニル〕プロパン、２，２−ビス〔４−（アクリロキシポリエトキシ）フェニル〕プロパン、２−ヒドロキシ−１−アクリロキシ−３−メタクリロキシプロパン、２，２−ビス〔４−（アクリロキシポリプロポキシ）フェニル〕プロパン、エチレングリコールジメタクリレート、ジエチレングリコールジメタクリレート、トリエチレングリコールジメタクリレート、ポリエチレングリコールジメタクリレート、１，３−ブチレングリコールジメタクリレート、１，６−ヘキサンジオールジメタクリレート、ネオペンチルグリコールジメタクリレート、ポリプロピレングリコールジメタクリレート、２−ヒドロキシ−１，３−ジメタクリロキシプロパン、２，２−ビス〔４−（メタクリロキシエトキシ）フェニル〕プロパン、２，２−ビス〔４−（メタクリロキシエトキシジエトキシ）フェニル〕プロパン、２，２−ビス〔４−（メタクリロキシエトキシポリエトキシ）フェニル〕プロパン、トリメチロールプロパントリメタクリレート、テトラメチロールメタントリメタクリレート、トリメチロールプロパントリアクリレート、テトラメチロールメタントリアクリレート、テトラメチロールメタンテトラアクリレート、ジペンタエリスリトールヘキサアクリレート、Ｎ，Ｎ’−メチレンビスアクリルアミド、Ｎ，Ｎ’−メチレンビスメタクリルアミド、ジエチレングリコールジアリルエーテル、ジビニルベンゼン等が挙げられる。
【００８７】
また、糖と相互作用可能な官能基としては、例えば、ボロン酸基（特に、フェニルボロン酸基）が挙げられるため、ボロン酸基を有する単量体を用いてもよい。このようなボロン酸基含有モノマーとしては、例えば、アクリロイルアミノベンゼンボロン酸、メタクリロイルアミノベンゼンボロン酸、４−ビニルベンゼンボロン酸等が挙げられる。
【００８８】
また、イオン物質（特に、カルシウムイオンを含むもの）を所定の物質（特定成分）として検出する場合には、単量体として、４−アクリルアミドベンゾ−１８−クラウン−６−エーテル、アクリロイルアミノベンゾクラウンエーテル、メタクリロイルアミノベンゾクラウンエーテル、４−ビニルベンゾクラウンエーテル等のクラウンエーテル基含有モノマー（特に、ベンゾクラウンエーテル基含有モノマー）を好適に用いることができる。
【００８９】
また、塩化ナトリウム等のイオン物質を所定の物質（特定成分）として検出する場合には、単量体として、３−アクリルアミドフェニルボロン酸、ビニルフェニルボロン酸、アクリロイロキシフェニルボロン酸、Ｎ−イソプロピルアクリルアミド（ＮＩＰＡＡｍ）、エチレンビスアクリルアミド、Ｎ−ヒドロキシエチルアクリルアミド等を好適に用いることができる。特に、塩化ナトリウム等のイオン物質を所定の物質（特定成分）として検出する場合には、単量体として、３−アクリルアミドフェニルボロン酸、ビニルフェニルボロン酸およびアクリロイロキシフェニルボロン酸よりなる群から選択される１種または２種以上の単量体と、Ｎ−イソプロピルアクリルアミド（ＮＩＰＡＡｍ）、エチレンビスアクリルアミドおよびＮ−ヒドロキシエチルアクリルアミドよりなる群から選択される１種または２種以上の単量体とを組み合わせて用いるのが好ましい。
【００９０】
また、グルコース、フルクトース等の糖類；乳酸を所定の物質（特定成分）として検出する場合には、単量体として、３−アクリルアミドフェニルボロン酸、ビニルフェニルボロン酸、アクリロイロキシフェニルボロン酸、Ｎ−イソプロピルアクリルアミド（ＮＩＰＡＡｍ）、エチレンビスアクリルアミド、Ｎ−ヒドロキシエチルアクリルアミド等を好適に用いることができる。特に、糖類、乳酸を所定の物質（特定成分）として検出する場合には、単量体として、３−アクリルアミドフェニルボロン酸、ビニルフェニルボロン酸およびアクリロイロキシフェニルボロン酸よりなる群から選択される１種または２種以上の単量体と、Ｎ−イソプロピルアクリルアミド（ＮＩＰＡＡｍ）、エチレンビスアクリルアミドおよびＮ−ヒドロキシエチルアクリルアミドよりなる群から選択される１種または２種以上の単量体とを組み合わせて用いるのが好ましい。
【００９１】
重合開始剤としては、例えば、その重合様式によって、適宜選択することができるが、具体的には、過酸化ベンゾイル、過酸化ラウロイル、過酸化水素、過硫酸塩、例えば過硫酸カリウム、過硫酸ナトリウム、過硫酸アンモニウム等、アゾ系開始剤（例えば２，２’−アゾビス（２−アミジノプロパン）二塩酸塩、アゾビスジメチルバレロニトリル、２，２′−アゾビス（２−アミノプロパン）二塩酸塩、２，２′−アゾビス〔２−（５−メチル−２−イミダゾリン−２−イル）プロパン〕二塩酸塩、２，２′−アゾビスイソブチルアミド二水和物、２，２’−アゾビス［Ｎ−（２−カルボキシエチル）−２−メチルプロピオンアミジン］ｎ−ハイドレート、２，２’−アゾビス［２−メチル−Ｎ−（２−ヒドロキシエチル）プロピオンアミド］、２，２’−アゾビス（Ｎ，Ｎ’−ジメチレンイソブチルアミジン）二塩酸塩、２，２’−アゾビス｛２−メチル−Ｎ−〔１，１，−ビス（ヒドロキシメチル）−２−ヒドロキシエチル〕プロピオンアミド｝、２，２’−アゾビス〔２−（２−イミダゾリン−２−イル）プロパン〕二塩酸塩、４，４’−アゾビス（４−シアノ吉草酸）、２，２’−アゾビスイソブチロニトリル、２，２’−アゾビス（２，４’−ジメチルバレロニトリル）等）、ベンゾフェノン、２，２−ジメトキシ−１，２−ジフェニルエタン−１−オン、１−ヒドロキシシクロヘキシルフェニルケトン、２−ヒドロキシ−２−メチル−１−フェニルプロパン−１−オン、２，４，６−トリメチルベンゾイルジフェニルホスフィンオキサイド、１−［４−（２−ヒドロキシエトキシ）−フェニル］−２−ヒドロキシ−２−メチル−１−プロパン−１−オン、２，４−ジエチルチオキサントン、イソプロピルチオキサントン、１−クロロ−４−プロポキシチオキサントン、２−（３−ジメチルアミノ−２−ヒドロキシプロポキシ）−３，４−ジメチル−９Ｈ−チオキサントン−９−オンメソクロライド、２−メチル−１［４−（メチルチオ）フェニル］−２−モルホリノプロパン−１、２−ベンジル−２−ジメチルアミノ−１−（４−モルホリノフェニル）−ブタノン−１、ビス（シクロペンタジエニル）−ビス（２，６−ジフルオロ−３−（ピル−１−イル）チタニウム、ジイソプロピルオキシジカーボネート、１，３−ジ（ｔ−ブチルペルオキシカルボニル）ベンゼン、３，３’，４，４’−テトラ−（ｔ−ブチルペルオキシカルボニル）ベンゾフェノン、ｔ−ブチルペルオキシ−２−エチルヘキサノエート、ｔ−ブチルペルオキシビバレート、ｔ−ブチルペルオキシジイソブチレート等のパーオキシエステル等が挙げられる。また、過酸化水素あるいは過硫酸塩は、例えば、亜硫酸塩、Ｌ−アスコルビン酸等の還元性物質やアミン塩等を組み合わせてレドックス系の開始剤としても使用することができる。
【００９２】
架橋剤成分としては、重合性官能基を２個以上有する化合物を用いることができ、具体的には、例えば、エチレングリコール、プロピレングリコール、トリメチロールプロパン、グリセリン、ポリオキシエチレングリコール、ポリオキシプロピレングリコール、ポリグリセリン、Ｎ，Ｎ’−メチレンビスアクリルアミド、Ｎ，Ｎ−メチレン−ビス−Ｎ−ビニルアセトアミド、Ｎ，Ｎ−ブチレン−ビス−Ｎ−ビニルアセトアミド、トリレンジイソシアネート、ヘキサメチレンジイソシアネート、アリル化デンプン、アリル化セルロース、ジアリルフタレート、テトラアリロキシエタン、ペンタエリストールトリアリルエーテル、トリメチロールプロパントリアリルエーテル、ジエチレングリコールジアリルエーテル、トリアリルトリメリテート等が挙げられ、これらから選択される１種または２種以上を組み合わせて用いることができる。
【００９３】
刺激応答性ゲルは、少なくとも、構成モノマーとして水溶性ビニルモノマーを含み、かつ、フェニルボロン酸構造を備えるポリマー（第１のポリマー）を含むものであるのが好ましい。
【００９４】
これにより、前記液体が水等の親水性の高い成分を含むものである場合に、前記所定の物質（特定成分）の濃度変化によるゲル材料の体積の変化率をより大きいものとすることができ、所定の物質（特定成分）の定量的な検出を好適に行うことができる。特に、乳酸等の検出をより好適に行うことができる。
【００９５】
以下、刺激応答性ゲルが、少なくとも、構成モノマーとして水溶性ビニルモノマーを含み、かつ、フェニルボロン酸構造を備えるポリマー（第１のポリマー）を含むものである場合について代表的に説明する。
【００９６】
フェニルボロン酸構造は、例えば、ポリマー（第１のポリマー）の構成成分としての重合性化合物（モノマー等）を重合させた後に導入されたものであってもよいが、ポリマー（第１のポリマー）の構成成分としての重合性化合物が有するものであるのが好ましい。言い換えると、ポリマー（第１のポリマー）は、構成成分として、フェニルボロン酸構造を有するモノマーを含むものであるのが好ましい。
【００９７】
これにより、ポリマー（第１のポリマー）が有するフェニルボロン酸構造の割合等の調整を容易に行うことができる。また、ポリマー（第１のポリマー）の剛性をより容易に行うことができる。また、ポリマー（第１のポリマー）の化学的安定性をより優れたものとすることができ、ポリマー（第１のポリマー）の不本意な劣化、変性等をより効果的に防止、抑制することができる。
【００９８】
ポリマー（第１のポリマー）を構成する、フェニルボロン酸構造を有するモノマーとしては、例えば、３−（メタ）アクリルアミドフェニルボロン酸、ビニルフェニルボロン酸、（メタ）アクリロイロキシフェニルボロン酸、（メタ）アクリロイルアミノベンゼンボロン酸、（メタ）アクリロイルアミノベンゼンボロン酸、４−ビニルベンゼンボロン酸等が挙げられ、これらから選択される１種または２種以上を組み合わせて用いることができるが、ポリマー（第１のポリマー）は、３−アクリルアミドフェニルボロン酸を構成成分として含むものであるのが好ましい。
【００９９】
これにより、前記所定の物質（特定成分）の濃度変化によるゲル材料の体積の変化率をさらに大きいものとすることができ、所定の物質（特定成分）の定量的な検出をさらに好適に行うことができる。
【０１００】
前記ポリマー（第１のポリマー）は、構成モノマーとして水溶性ビニルモノマー（フェニルボロン酸構造を有さない水溶性ビニルモノマー）を含むものである。
【０１０１】
これにより、前記ポリマー（第１のポリマー）が有するフェニルボロン酸構造の割合等を好適なものに調整することができるとともに、前記所定の物質（特定成分）の濃度変化によるゲル材料の体積の変化率をさらに大きいものとすることができ、所定の物質（特定成分）の定量的な検出をさらに好適に行うことができる。
【０１０２】
なお、水溶性ビニルモノマーは、２５℃の水：１００ｇに対する溶解度が、５ｇ以上のものであるのが好ましく、１０ｇ以上のものであるのがより好ましい。
これにより、前述したような効果がより顕著に発揮される。
【０１０３】
水溶性ビニルモノマーとしては、水酸基（ＯＨ基）、ケトン基、カルボン酸基、イオン性基のうち少なくとも１種を有するものが好ましく、水酸基（ＯＨ基）、イオン性基のうち少なくとも１種を有するものがより好ましく、水酸基（ＯＨ基）を有するものがさらに好ましい。
【０１０４】
これにより、前述したような効果がより顕著に発揮される。また、刺激応答性ゲルの溶媒（特に、水等の極性（親水性）の高い溶媒）の保持力をより優れたものとすることができる。
【０１０５】
特に、水溶性ビニルモノマーが水酸基（ＯＨ基）を有するものであると、刺激応答性ゲルは、フェニルボロン酸構造とＯＨ基とが結合した第１の状態と、フェニルボロン酸構造とＯＨ基との結合が解除された第２の状態とを取り得る。
【０１０６】
このような状態の変化は、周囲の環境の変化（所定の物質（特定成分）の有無や、所定の物質（特定成分）の濃度等の変化）によって起こるものである。特に、上記のような状態の変化は、特定成分の濃度が比較的低い領域で、起こるものである。したがって、刺激応答性ゲルの特定成分に対する反応性（感受性）をより高いものとすることができる。
【０１０７】
前記ポリマー（第１のポリマー）を構成する水溶性ビニルモノマー（フェニルボロン酸構造を有さない水溶性ビニルモノマー）は、例えば、Ｎ−ヒドロキシエチル（メタ）アクリルアミド、ジアセトン（メタ）アクリルアミド、Ｎ−ヒドロキシメチル（メタ）アクリルアミド、Ｎ−ヒドロキシプロピル（メタ）アクリルアミド、Ｎ−ヒドロキシブチル（メタ）アクリルアミド、Ｎ−ヒドロキシペンチル（メタ）アクリルアミド、２，３−ジヒドロキシプロピル（メタ）アクリルアミド、ジヒドロキシブチル（メタ）アクリルアミド、ジヒドロキシペンチル（メタ）アクリルアミド、トリス（ヒドロキシメチル）メチル（メタ）アクリルアミド、２−（メタ）アクリルアミド２−メチルスルホン酸、（メタ）アクリルアミドグリコール酸、（メタ）アクリルアミドエタンカルボン酸、（メタ）アクリルアミドプロパンカルボン酸、（メタ）アクリルアミドブタンカルボン酸、（メタ）アクリルアミドペンタンカルボン酸、（メタ）アクリルアミドヘキサンカルボン酸、（メタ）アクリルアミドヘプタンカルボン酸、（メタ）アクリルアミドオクタンカルボン酸、（メタ）アクリルアミドエトキシエタノール、２−ヒドロキシ（メタ）アクリレート、２−ヒドロキシエチル（メタ）アクリレート、（メタ）アクリル酸モノグリセロール、無水マレイン酸グリセロールモノ（メタ）アクリレート、２−ヒドロキシ１−アクリロキシ−３−メタ（アクリロキシ）プロパン、２−ヒドロキシ１，３−ジメタ（アクリロキシ）プロパン、Ｎ，Ｎ−ジメチルアミノプロピル（メタ）アクリルアミド各種四級塩、Ｎ，Ｎ−ジメチルアミノエチル（メタ）アクリレート各種四級塩、１，４−シクロヘキサンジメタノールモノ（メタ）アクリレート、（３−（メタ）アクリルアミドプロピル）トリメチルアンモニウムクロリド、トリメチル−２−（メタ）アクロイルオキシエチルアンモニウムクロリド、りん酸２−（（メタ）アクリロイルオキシ）エチル２−（トリメチルアンモニオ）エチル、（メタ）アクリル酸３−スルホプロピルカリウム、２−（メタ）アクリルアミド２−メチルプロパンスルホン酸、Ｎ，Ｎ’−（１，２−ジヒドロキシエチレン）ビス（メタ）アクリルアミド、ビニルスルホン酸等が挙げられ、これらから選択される１種または２種以上を組み合わせて用いることができる。
【０１０８】
前記ポリマー（第１のポリマー）を構成する、ＯＨ基を有するモノマーとしては、例えば、Ｎ−ヒドロキシエチル（メタ）アクリルアミド、Ｎ−ヒドロキシメチル（メタ）アクリルアミド、Ｎ−ヒドロキシプロピル（メタ）アクリルアミド、Ｎ−ヒドロキシブチル（メタ）アクリルアミド、Ｎ−ヒドロキシペンチル（メタ）アクリルアミド、２，３−ジヒドロキシプロピル（メタ）アクリルアミド、ジヒドロキシブチル（メタ）アクリルアミド、ジヒドロキシペンチル（メタ）アクリルアミド、トリス（ヒドロキシメチル）メチル（メタ）アクリルアミド、２−ヒドロキシ（メタ）アクリレート、２−ヒドロキシエチル（メタ）アクリレート、２−ヒドロキシ１−アクリロキシ−３−メタ（アクリロキシ）プロパン、２−ヒドロキシ１，３−ジメタ（アクリロキシ）プロパン、Ｎ，Ｎ’−（１，２−ジヒドロキシエチレン）ビス（メタ）アクリルアミド、（メタ）アクリルアミドエトキシエタノール、１，４−シクロヘキサンジメタノールモノ（メタ）アクリレート等が挙げられ、これらから選択される１種または２種以上を組み合わせて用いることができるが、前記ポリマー（第１のポリマー）は、Ｎ−ヒドロキシエチルアクリルアミドを構成成分として含むものであるのが好ましい。
【０１０９】
これにより、前述したような効果がより顕著に発揮される。また、刺激応答性ゲルが前記ポリマー（第１のポリマー）に加え、後に詳述する第２のポリマーを含むものである場合に、第１のポリマーと第２のポリマーとの親和性をより好適なものとすることができ、刺激応答性ゲル（ゲル材料）中における不本意な相分離等の問題をより長期間にわたって抑制することができ、刺激応答性ゲルの耐久性、信頼性を特に優れたものとすることができる。
【０１１０】
前記ポリマー（第１のポリマー）中におけるフェニルボロン酸構造を有さない水溶性ビニルモノマーの含有率は、４０ｍｏｌ％以上８０ｍｏｌ％以下であるのが好ましく、５０ｍｏｌ％以上７５ｍｏｌ％以下であるのがより好ましい。
【０１１１】
前記ポリマー（第１のポリマー）中における前記フェニルボロン酸構造を有するモノマーの含有率は、２０質量％以上４５質量％以下であるのが好ましく、２５質量％以上４３質量％以下であるのがより好ましい。
【０１１２】
これにより、刺激応答性ゲルの柔軟性をより適切なものとすることができ、所定の物質（特定成分）に対する感度を特に優れたものとすることができる。
【０１１３】
これに対し、前記ポリマー（第１のポリマー）中におけるフェニルボロン酸構造を有するモノマーの含有率が前記下限値未満であったり、前記上限値を超えたりすると、刺激応答性ゲルの柔軟性や、所定の物質（特定成分）に対する感度が低下する場合がある。
【０１１４】
前記ポリマー（第１のポリマー）は、構成成分として、前述したモノマー（フェニルボロン酸構造を有するモノマー、フェニルボロン酸構造を有さない水溶性ビニルモノマー））以外のモノマーを含むものであってもよい。
【０１１５】
このようなモノマーとしては、例えば、（メタ）アクリルアミド、Ｎ−メチル（メタ）アクリルアミド、Ｎ−エチル（メタ）アクリルアミド、Ｎ−イソプロピル（メタ）アクリルアミド、Ｎ，Ｎ−ジメチル（メタ）アクリルアミド、Ｎ，Ｎ−ジメチルアミノプロピル（メタ）アクリルアミド、エチレンビス（メタ）アクリルアミド、Ｎ−［３−（ジメチルアミノ）プロピル］（メタ）アクリルアミド、Ｎ−ｔ−ブチル（メタ）アクリルアミド、Ｎ，Ｎ−ジエチル（メタ）アクリルアミド、Ｎ−（ブトキシメチル）（メタ）アクリルアミド、Ｎ−（イソブトキシメチル）（メタ）アクリルアミド、Ｎ−フェニル（メタ）アクリルアミド、イソブトキシメチル（メタ）アクリルアミド、Ｎ−ビニルラクトン、メチルビニルエーテル、（メタ）アクリロイルモルホリン、（メタ）アクリル酸、各種アルキル（メタ）アクリレート、１，４−シクロヘキサンジメタノールモノ（メタ）アクリレート、（３−（メタ）アクリルアミドプロピル）トリメチルアンモニウムクロリド、トリメチル−２−（メタ）アクロイルオキシエチルアンモニウムクロリド、りん酸２−（（メタ）アクリロイルオキシ）エチル２−（トリメチルアンモニオ）エチル、（メタ）アクリル酸２−（２−エトキシエトキシ）エチル、（メタ）アクリル酸グリシジル、ジ（エチレングリコール）ジビニルエーテル、トリ（エチレングリコール）ジビニルエーテル、ポリ（エチレングリコール）ジビニルエーテル、トリメチロールプロパンエトキシラートトリ（メタ）アクリラート、トリメチロールプロパンプロポキシラートトリ（メタ）アクリラート、Ｎ−［トリス（３−（メタ）アクリルアミドプロポキシメチル）メチル］（メタ）アクリルアミド、酢酸ビニル、カルボン酸ビニル（Ｃ３〜Ｃ１０）、Ｎ−ビニルピロリドン、アクリロニトリル、スチレン、ポリエチレングリコールジ（メタ）アクリレート、１，６−ヘキサンジオールジ（メタ）アクリレート、ネオペンチルグリコールジ（メタ）アクリレート、トリプロピレングリコールジ（メタ）アクリレート、ポリプロピレングリコールジ（メタ）アクリレート、２，２−ビス〔４−（（メタ）アクリロキシジエトキシ）フェニル〕プロパン、２，２−ビス〔４−（（メタ）アクリロキシポリエトキシ）フェニル〕プロパン、２，２−ビス〔４−（（メタ）アクリロキシポリプロポキシ）フェニル〕プロパン、エチレングリコールジ（メタ）アクリレート、ジエチレングリコールジ（メタ）アクリレート、トリエチレングリコールジ（メタ）アクリレート、１，３−ブチレングリコールジ（メタ）アクリレート、２，２−ビス〔４−（（メタ）アクリロキシエトキシ）フェニル〕プロパン、２，２−ビス〔４−（（メタ）アクリロキシエトキシジエトキシ）フェニル〕プロパン、２，２−ビス〔４−（（メタ）アクリロキシエトキシポリエトキシ）フェニル〕プロパン、トリメチロールプロパントリ（メタ）アクリレート、テトラメチロールメタントリ（メタ）アクリレート、テトラメチロールメタンテトラ（メタ）アクリレート、ジペンタエリスリトールヘキサ（メタ）アクリレート、Ｎ，Ｎ’−メチレンビス（メタ）アクリルアミド、ジエチレングリコールジアリルエーテル、ジビニルベンゼン、４−（メタ）アクリルアミドベンゾ−１８−クラウン−６−エーテル、アクリロイルアミノベンゾクラウンエーテル、（メタ）アクリロイルアミノベンゾクラウンエーテル、４−ビニルベンゾクラウンエーテル等が挙げられ、これらから選択される１種または２種以上を組み合わせて用いることができる。
【０１１６】
上記のモノマーのうち、アクリルアミド系、メタアクリルアミド系、アクリル酸系、メタアクリル酸系が好ましく、アクリルアミド系、メタアクリルアミド系がより好ましい。
【０１１７】
また、前記ポリマー（第１のポリマー）は、Ｎ−イソプロピルアクリルアミド（ＮＩＰＡＡｍ）、エチレンビスアクリルアミドのうち少なくとも一方を含むものであるのが好ましい。
【０１１８】
前記ポリマー（第１のポリマー）中における架橋剤成分の含有率は、０．５ｍｏｌ％以上１０．０ｍｏｌ％以下であるのが好ましく、０．８ｍｏｌ％以上８．０ｍｏｌ％以下であるのがより好ましく、１．１ｍｏｌ％以上６．０ｍｏｌ％以下であるのがさらに好ましい。
【０１１９】
これにより、前記ポリマー（第１のポリマー）の架橋度をより好適な範囲にすることができ、前述したような効果をより顕著に発揮しつつ、前記ポリマー（第１のポリマー）の柔軟性をより適切なものとすることができる。
【０１２０】
刺激応答性ゲルは、異なる複数種の高分子材料を含むものであってもよい。
例えば、刺激応答性ゲルは、高分子材料として、前述したような構成モノマーとして水溶性ビニルモノマーを含み、かつ、フェニルボロン酸構造を有する第１のポリマーに加えて、ＯＨ基（炭素原子に結合する水酸基）を有する第２のポリマーを含むものであってもよい。
【０１２１】
これにより、前述したような刺激応答性ゲルを構成する樹脂材料がフェニルボロン酸構造とＯＨ基とを有することによる効果がより効果的に発揮されるとともに、刺激応答性ゲルの強度をより優れたものとすることができ、センサー３、液体回収装置１０の耐久性をより優れたものとすることができる。
【０１２２】
また、刺激応答性ゲルは、前述した第１のポリマーがＯＨ基を有さないものであっても、ＯＨ基を有する第２のポリマーを含むことにより、フェニルボロン酸構造とＯＨ基とが結合した第１の状態と、フェニルボロン酸構造とＯＨ基との結合が解除された第２の状態とを好適に取り得、特定成分の含有率の変化量が小さいものであっても、刺激応答性ゲルの体積変化をより大きいものとすることができ、特定成分に対する感度をより優れたものとすることができる。また、刺激応答性ゲルの溶媒（特に、水等の極性（親水性）溶媒）の保持力を特に優れたものとすることができ、長期間にわたって安定的に好適なゲル状態を保持することができる。また、第１のポリマーがＯＨ基を有するものであり、さらに第２のポリマーを含む場合には、前述したような効果がより顕著に発揮される。
【０１２３】
以下、刺激応答性ゲルが、樹脂材料として、フェニルボロン酸構造を有するポリマー（第１のポリマー）に加え、ＯＨ基（炭素原子に結合する水酸基）を有し、フェニルボロン酸構造を有さない第２のポリマーを含むものである場合について中心的に説明する。
【０１２４】
（第２のポリマー）
第２のポリマーは、ＯＨ基（水酸基）を有するものである。
【０１２５】
ＯＨ基は、ポリマーの構成成分としての重合性化合物（モノマー等）を重合させた後に導入されたものであってもよいが、ポリマーの構成成分としての重合性化合物が有するものであるのが好ましい。
【０１２６】
これにより、第２のポリマーが有するＯＨ基の割合等の調整を容易に行うことができる。
【０１２７】
第２のポリマーを構成する、ＯＨ基を有するモノマーとしては、例えば、Ｎ−ヒドロキシエチル（メタ）アクリルアミド、Ｎ−ヒドロキシメチル（メタ）アクリルアミド、Ｎ−ヒドロキシプロピル（メタ）アクリルアミド、Ｎ−ヒドロキシブチル（メタ）アクリルアミド、Ｎ−ヒドロキシペンチル（メタ）アクリルアミド、２，３−ジヒドロキシプロピル（メタ）アクリルアミド、ジヒドロキシブチル（メタ）アクリルアミド、ジヒドロキシペンチル（メタ）アクリルアミド、トリス（ヒドロキシメチル）メチル（メタ）アクリルアミド、２−ヒドロキシ（メタ）アクリレート、２−ヒドロキシエチル（メタ）アクリレート、２−ヒドロキシ１−アクリロキシ−３−メタ（アクリロキシ）プロパン、２−ヒドロキシ１，３−ジメタ（アクリロキシ）プロパン、Ｎ，Ｎ’−（１，２−ジヒドロキシエチレン）ビス（メタ）アクリルアミド、（メタ）アクリルアミドエトキシエタノール、１，４−シクロヘキサンジメタノールモノ（メタ）アクリレート等が挙げられ、これらから選択される１種または２種以上を組み合わせて用いることができるが、第２のポリマーは、Ｎ−ヒドロキシエチルアクリルアミドを構成成分として含むものであるのが好ましい。
【０１２８】
これにより、刺激応答性ゲルは、フェニルボロン酸構造とＯＨ基とが結合した第１の状態と、フェニルボロン酸構造とＯＨ基との結合が解除された第２の状態とをより好適に取り得、特定成分の含有率の変化量が小さいものであっても、刺激応答性ゲルの体積変化をより大きいものとすることができ、特定成分に対する感度をより優れたものとすることができる。また、刺激応答性ゲルの溶媒（特に、水等の極性（親水性）溶媒）の保持力を特に優れたものとすることができ、長期間にわたって安定的に好適なゲル状態を保持することができる。
【０１２９】
また、第２のポリマーは、その構成成分として、ＯＨ基を有さないモノマーを含むものであってもよい。これにより、第２のポリマーが有するＯＨ基の割合等を好適なものに調整することができる。
【０１３０】
第２のポリマーを構成する、ＯＨ基を有さないモノマーとしては、例えば、（メタ）アクリルアミド、Ｎ−メチル（メタ）アクリルアミド、Ｎ−エチル（メタ）アクリルアミド、Ｎ−イソプロピル（メタ）アクリルアミド、Ｎ，Ｎ−ジメチル（メタ）アクリルアミド、Ｎ，Ｎ−ジメチルアミノプロピル（メタ）アクリルアミド、エチレンビス（メタ）アクリルアミド、Ｎ−［３−（ジメチルアミノ）プロピル］（メタ）アクリルアミド、ジアセトン（メタ）アクリルアミド、Ｎ−ｔ−ブチル（メタ）アクリルアミド、Ｎ，Ｎ−ジエチル（メタ）アクリルアミド、Ｎ−（ブトキシメチル）（メタ）アクリルアミド、Ｎ−（イソブトキシメチル）（メタ）アクリルアミド、Ｎ−フェニル（メタ）アクリルアミド、２−（メタ）アクリルアミド−２−メチルスルホン酸、（メタ）アクリルアミドグリコール酸、イソブトキシメチル（メタ）アクリルアミド、（メタ）アクリルアミドエタンカルボン酸、（メタ）アクリルアミドプロパンカルボン酸、（メタ）アクリルアミドブタンカルボン酸、（メタ）アクリルアミドペンタンカルボン酸、（メタ）アクリルアミドヘキサンカルボン酸、（メタ）アクリルアミドヘプタンカルボン酸、（メタ）アクリルアミドオクタンカルボン、（メタ）アクリルアミドエトキシエタノール、Ｎ−ビニルラクトン、（メタ）アクリル酸モノグリセロール、メチルビニルエーテル、無水マレイン酸グリセロールモノ（メタ）アクリレート、Ｎ，Ｎ−ジメチルアミノプロピル（メタ）アクリルアミド各種四級塩、（メタ）アクリロイルモルホリン、Ｎ，Ｎ−ジメチルアミノエチル（メタ）アクリレート各種四級塩、（メタ）アクリル酸、各種アルキル（メタ）アクリレート、１，４−シクロヘキサンジメタノールモノ（メタ）アクリレート、（３−（メタ）アクリルアミドプロピル）トリメチルアンモニウムクロリド、トリメチル−２−（メタ）アクロイルオキシエチルアンモニウムクロリド、りん酸２−（（メタ）アクリロイルオキシ）エチル２−（トリメチルアンモニオ）エチル、（メタ）アクリル酸３−スルホプロピルカリウム、２−（メタ）アクリルアミド−２−メチルプロパンスルホン酸、（メタ）アクリル酸２−（２−エトキシエトキシ）エチル、（メタ）アクリル酸グリシジル、ジ（エチレングリコール）ジビニルエーテル、トリ（エチレングリコール）ジビニルエーテル、ポリ（エチレングリコール）ジビニルエーテル、トリメチロールプロパンエトキシラートトリ（メタ）アクリラート、トリメチロールプロパンプロポキシラートトリ（メタ）アクリラート、Ｎ−［トリス（３−（メタ）アクリルアミドプロポキシメチル）メチル］（メタ）アクリルアミド、ビニルスルホン酸、酢酸ビニル、カルボン酸ビニル（Ｃ３〜Ｃ１０）、Ｎ−ビニルピロリドン、アクリロニトリル、スチレン、ポリエチレングリコールジ（メタ）アクリレート、１，６−ヘキサンジオールジ（メタ）アクリレート、ネオペンチルグリコールジ（メタ）アクリレート、トリプロピレングリコールジ（メタ）アクリレート、ポリプロピレングリコールジ（メタ）アクリレート、２，２−ビス〔４−（（メタ）アクリロキシジエトキシ）フェニル〕プロパン、２，２−ビス〔４−（（メタ）アクリロキシポリエトキシ）フェニル〕プロパン、２，２−ビス〔４−（（メタ）アクリロキシポリプロポキシ）フェニル〕プロパン、エチレングリコールジ（メタ）アクリレート、ジエチレングリコールジ（メタ）アクリレート、トリエチレングリコールジ（メタ）アクリレート、１，３−ブチレングリコールジ（メタ）アクリレート、２，２−ビス〔４−（（メタ）アクリロキシエトキシ）フェニル〕プロパン、２，２−ビス〔４−（（メタ）アクリロキシエトキシジエトキシ）フェニル〕プロパン、２，２−ビス〔４−（（メタ）アクリロキシエトキシポリエトキシ）フェニル〕プロパン、トリメチロールプロパントリ（メタ）アクリレート、テトラメチロールメタントリ（メタ）アクリレート、テトラメチロールメタンテトラ（メタ）アクリレート、ジペンタエリスリトールヘキサ（メタ）アクリレート、Ｎ，Ｎ’−メチレンビス（メタ）アクリルアミド、ジエチレングリコールジアリルエーテル、ジビニルベンゼン、４−（メタ）アクリルアミドベンゾ−１８−クラウン−６−エーテル、アクリロイルアミノベンゾクラウンエーテル、（メタ）アクリロイルアミノベンゾクラウンエーテル、４−ビニルベンゾクラウンエーテル等が挙げられ、これらから選択される１種または２種以上を組み合わせて用いることができる。
【０１３１】
第２のポリマー中におけるＯＨ基を有さないモノマーの含有率は、０．１ｍｏｌ％以上４０ｍｏｌ％以下であるのが好ましく、０．２ｍｏｌ％以上３０ｍｏｌ％以下であるのがより好ましく、０．３ｍｏｌ％以上２０ｍｏｌ％以下であるのがさらに好ましい。
【０１３２】
第２のポリマー中における架橋剤成分の含有率は、０．５ｍｏｌ％以上７．０ｍｏｌ％以下であるのが好ましく、０．８ｍｏｌ％以上６．０ｍｏｌ％以下であるのがより好ましく、１．１ｍｏｌ％以上５．０ｍｏｌ％以下であるのがさらに好ましい。
【０１３３】
これにより、第２のポリマーの架橋度をより好適な範囲にすることができ、前述したような効果をより顕著に発揮しつつ、第２のポリマーの柔軟性をより適切なものとすることができる。
【０１３４】
第２のポリマー中におけるＯＨ基を有するモノマーの含有率は、５４ｍｏｌ％以上９９ｍｏｌ％以下であるのが好ましく、６５ｍｏｌ％以上９８．５ｍｏｌ％以下であるのがより好ましく、７６ｍｏｌ％以上９８ｍｏｌ％以下であるのがさらに好ましい。
【０１３５】
これにより、前述したような第２のポリマーがＯＨ基を有することによる効果をより顕著に発揮させつつ、ＯＨ基を有するモノマー以外の成分（架橋剤、ＯＨ基を有さないモノマー等）の効果を十分に発揮させることができる。
【０１３６】
第２のポリマーの水酸基価は、１５ｍｇＫＯＨ／ｇ以上６２０ｍｇＫＯＨ／ｇ以下であるのが好ましく、３４ｍｇＫＯＨ／ｇ以上７８ｍｇＫＯＨ／ｇ以下であるのがより好ましい。
【０１３７】
これにより、前述したような第２のポリマーがＯＨ基を有することによる効果をより顕著に発揮させつつ、刺激応答性ゲルの耐久性を特に優れたものとすることができる。
【０１３８】
刺激応答性ゲル中における第２のポリマーの含有率Ｘ２は、０．０５質量％以上９８質量％以下であるのが好ましく、０．１質量％以上７０質量％以下であるのがより好ましい。
【０１３９】
これにより、前述したような刺激応答性ゲルを構成する樹脂材料がフェニルボロン酸構造とＯＨ基とを有することによる効果がより効果的に発揮されるとともに、刺激応答性ゲルの強度をより優れたものとすることができ、センサー３、液体回収装置１０の耐久性をより優れたものとすることができる。
【０１４０】
また、高分子材料中における第２のポリマーの含有率は、１．０質量％以上９９質量％以下であるのが好ましく、１．５質量％以上９８質量％以下であるのがより好ましい。
【０１４１】
これにより、前述したような刺激応答性ゲルを構成する樹脂材料がフェニルボロン酸構造とＯＨ基とを有することによる効果がより効果的に発揮されるとともに、刺激応答性ゲルの強度をより優れたものとすることができ、センサー３、液体回収装置１０の耐久性をより優れたものとすることができる。
【０１４２】
刺激応答性ゲル中における第１のポリマーの含有率Ｘ１は、０．０１質量％以上７０質量％以下であるのが好ましく、０．０５質量％以上６５質量％以下であるのがより好ましい。
【０１４３】
これにより、刺激応答性ゲルの柔軟性をより好適なものとすることができ、所定の物質（特定成分）に対する感度をより優れたものとすることができる。
【０１４４】
また、高分子材料中における第１のポリマーの含有率は、１．０質量％以上７０質量％以下であるのが好ましく、２．０質量％以上６５質量％以下であるのがより好ましい。
【０１４５】
これにより、刺激応答性ゲルの柔軟性をより好適なものとすることができ、所定の物質（特定成分）に対する感度をより優れたものとすることができる。
【０１４６】
刺激応答性ゲル中における第１のポリマーの含有率をＸ１［質量％］、第２のポリマーの含有率をＸ２［質量％］としたとき、０．２≦Ｘ１／Ｘ２≦８の関係を満足するのが好ましく、１．３≦Ｘ１／Ｘ２≦１．９の関係を満足するのがより好ましい。
【０１４７】
これにより、刺激応答性ゲルの柔軟性をより適切なものとすることができ、所定の物質（特定成分）に対する感度をより優れたものとすることができる。
【０１４８】
刺激応答性ゲル中には、前述した第１のポリマー、第２のポリマー以外のポリマー（高分子材料）を含むものであってもよい。例えば、分子内に、フェニルボロン酸構造、ＯＨ基のいずれをも有していないポリマーを含むものであってもよい。
【０１４９】
刺激応答性ゲル中における高分子材料の含有率は、０．７質量％以上３６．０質量％以下であるのが好ましく、２．４質量％以上２７．０質量％以下であるのがより好ましい。
【０１５０】
＜溶媒＞
刺激応答性ゲルが、溶媒を含むものであることにより、前述した高分子材料を好適にゲル化させることができる。
【０１５１】
溶媒としては、各種有機溶媒や無機溶媒を用いることができ、より具体的は、例えば、水；メタノール、エタノール等の各種アルコール；アセトン等のケトン類；テトラヒドロフラン、ジエチルエーテル等のエーテル類；ジメチルホルムアミド等のアミド類；ｎ−ペンタン、ｎ−ヘキサン、ｎ−ヘプタン、ｎ−オクタン等の鎖状脂肪族炭化水素；シクロヘキサン、メチルシクロヘキサン等の脂環式炭化水素；ベンゼン、トルエン、キシレン等の芳香族類等が挙げられるが、特に、水を含むものであるのが好ましい。
【０１５２】
刺激応答性ゲルは、溶媒として異なる複数種の成分を含むものであってもよい。
刺激応答性ゲル中における溶媒の含有率は、３０質量％以上９５質量％以下であるのが好ましく、５０質量％以上９０質量％以下であるのがより好ましい。
【０１５３】
＜粒子＞
刺激応答性ゲル（ゲル材料）は、例えば、平均粒径が１０ｎｍ以上１０００ｎｍ以下の粒子（微粒子）を含むものであってもよい。
【０１５４】
これにより、ブラッグ反射による構造色を視認することができる。特に、刺激応答性ゲルの膨張または収縮に伴い、隣り合う当該粒子の距離が変化し、ブラッグ反射による構造色も変化するため、光学的（視覚的）に所定の物質（特定成分）を検出することができる。また、ブラッグ反射による構造色または構造色の変化が視認されるため、例えば、その色調により、所定の物質（特定成分）の定量も、より容易に、また、より正確に行うことができる。また、刺激応答性ゲルの変形（膨張または収縮）を検出するための検出装置を用いなくても、所定の物質（特定成分）の検出、定量を、目視による観察により好適に行うことができる。また、検出装置を用いる場合であっても、微小な形状変化の検出ではなく、色調の変化を検出すればよいため、検出装置として比較的安価なものを利用することができる。
【０１５５】
刺激応答性ゲル（ゲル材料）が粒子を含むものである場合、粒子の平均粒径は、１０ｎｍ以上１０００ｎｍ以下であるのが好ましいが、２０ｎｍ以上５００ｎｍ以下であるのがより好ましい。
これにより、前述したような効果がより顕著に発揮される。
【０１５６】
本明細書において、平均粒径とは、体積基準の平均粒径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＣ製ＴＡ−ＩＩ型）にて、５０μｍのアパチャーを用いて測定することにより求めることができる。
【０１５７】
微粒子の構成材料としては、シリカ、酸化チタン等の無機材料；ポリスチレン、ポリエステル、ポリイミド、ポリオレフィン、ポリ（メタ）アクリル酸メチル、ポリエチレン、ポリプロピレン、ポリエーテルスルフォン、ナイロン、ポリウレタン、ポリ塩化ビニル、ポリ塩化ビニリデン等の有機材料（ポリマー）等が挙げられるが、微粒子は、シリカ微粒子であるのが好ましい。
【０１５８】
これにより、微粒子の形状の安定性等を特に優れたものとし、センサー３、液体回収装置１０の耐久性、信頼性等を特に優れたものとすることができる。また、シリカ微粒子は、粒度分布がシャープなもの（単分散微粒子）として入手が比較的容易であるため、センサー３、液体回収装置１０の安定的な生産、供給の観点からも有利である。
【０１５９】
微粒子の形状は、特に限定されないが、球状であるのが好ましい。これにより、コロイド結晶による構造色が容易に視認でき、特定成分の定量をより容易に行うことができる。
【０１６０】
ゲル材料は、異なる複数種の微粒子を含むものであってもよい。
ゲル材料中における微粒子の含有率は、１．６質量％以上３６質量％以下であるのが好ましく、４．０質量％以上２４質量％以下であるのがより好ましい。
【０１６１】
これにより、ゲル材料が微粒子を含むことによる前述したような効果がより顕著に発揮される。
【０１６２】
＜導電性物質＞
刺激応答性ゲル（ゲル材料）は、例えば、導電性物質を含むものであってもよい。
【０１６３】
これにより、刺激応答性ゲルの膨張収縮状態に応じて、刺激応答性ゲル中に含まれる導電性物質同士の距離を異なるものとすることができ、その結果、刺激応答性ゲルの抵抗値（抵抗率）を異なるものとすることができる。すなわち、刺激応答性ゲルが膨張した状態（または膨張の程度が大きい状態）では、刺激応答性ゲルが収縮した状態（または膨張の程度が小さい状態）に比べて導電性物質同士の距離（平均距離）が大きくなるため、刺激応答性ゲルの抵抗値（抵抗率）が大きくなる。したがって、刺激応答性ゲルの抵抗値（抵抗率）を求めることにより、刺激応答性ゲルの膨張収縮状態、すなわち、刺激の強さ（特定成分の濃度等）を容易かつ安定的に判断することができる。 
【０１６４】
刺激応答性ゲルが導電性物質を含むものである場合、センサーに図示しない電極を接続することにより、特定成分を検出することができる。
【０１６５】
刺激応答性ゲルが導電性物質を含むものである場合、導電性物質は、いかなる形態で含まれるものであってもよく、例えば、溶解状態等で含まれるものであってもよいが、粒子として含まれるのが好ましい。
【０１６６】
これにより、導電性物質の選択の幅が広がる。また、刺激応答性ゲルの膨張収縮状態による刺激応答性ゲルの抵抗値（抵抗率）の変化率をより安定的なものとすることができ、検出の精度をより優れたものとすることができる。
【０１６７】
刺激応答性ゲル中に含まれる導電性物質としては、例えば、金属材料（例えば、Ａｕ、Ａｇ、Ｐｔ、Ｃｕやこれらのうち少なくとも１種を含む合金等）、導電性金属酸化物（例えば、ＩＴＯ等）、炭素材料（例えば、カーボンブラック等）、導電性高分子材料（例えば、ＰＥＤＯＴ／ＰＳＳ、ポリチオフェン系、ポリアセチレン系等）等が挙げられる。
【０１６８】
このような導電性物質を含むことにより、センサー３の耐久性を優れたものとしつつ、刺激応答性ゲルの膨張または収縮に伴う前記抵抗値の変化率をより大きいものとすることができ、刺激の検出精度をより優れたものとすることができる。また、これらの材料は、比較的安価で、安定的に入手することが可能なので、センサー３、液体回収装置１０の生産コストの抑制、安定供給の点からも有利である。
【０１６９】
特に、刺激応答性ゲル中に含まれる導電性物質がＩＴＯ等の透明材料である場合、前述したような粒子（構造色の発現に寄与する粒子）が関与する構造色の識別が容易となり、刺激の検出をより好適に行うことができる。
【０１７０】
刺激応答性ゲル中に含まれる導電性物質の電気抵抗率は、１．０×１０−３Ω・ｍ以下であるのが好ましく、１．０×１０−４Ω・ｍ以下であるのがより好ましく、５．０×１０−5Ω・ｍ以下であるのがさらに好ましい。
【０１７１】
これにより、刺激応答性ゲルの膨張または収縮に伴う前記抵抗値の変化率をより大きいものとすることができ、刺激の検出精度をより優れたものとすることができる。
【０１７２】
刺激応答性ゲル中に含まれる導電性物質の屈折率は、１．０以上１．８以下であるのが好ましく、１．１以上１．７以下であるのがより好ましい。
【０１７３】
これにより、前述したような粒子（構造色の発現に寄与する粒子）が関与するブラッグ反射による構造色の視認性をより優れたものとすることができる。
【０１７４】
導電性物質を含む材料で構成された粒子を含む場合、当該粒子は、各部位で均一な組成を有するものであってもよいし、異なる組成の部位を有するものであってもよい。
【０１７５】
例えば、前記粒子（導電性物質を含む材料で構成された粒子）は、コア部と、コア部の外表面側に設けられた少なくとも１層の被膜を有するもの等であってもよい。
【０１７６】
導電性物質を含む材料で構成された粒子を含む場合、当該粒子は、球状、紡錘形状、針状（棘状）、板状（鱗片状）、赤血球様の円盤状等、いかなる形状のものであってもよいが、球状をなすものであるのが好ましい。
これにより、検出される電気抵抗率の信頼性がより優れたものとなる。
【０１７７】
導電性物質を含む材料で構成された粒子を含む場合、当該粒子の平均粒径は、特に限定されないが、１０ｎｍ以上１０００μｍ以下であるのが好ましく、２０ｎｍ以上５００μｍ以下であるのがより好ましい。
【０１７８】
これにより、刺激応答性ゲル中において、前記粒子をより均一に分散させることができ、刺激の検出精度をより優れたものとすることができる。
【０１７９】
＜その他の成分＞
刺激応答性ゲル（ゲル材料）は、前述した以外の成分（その他の成分）を含むものであってもよい。
【０１８０】
このような成分としては、例えば、着色剤、スリップ剤（レベリング剤）、防黴剤、防腐剤、酸化防止剤、保湿剤等が挙げられる。
【０１８１】
《液体回収装置の用途》
次に、液体回収装置の用途について、具体例を挙げつつ説明する。
【０１８２】
液体回収装置は、被着体に装着して用い液体を回収するものであればいかなる用途のものであってもよいが、例えば、生体に装着して体液（汗、涙、唾液等の液体）を回収するものであってもよい。
【０１８３】
これにより、体内生体情報等を好適に取得することができる。特に、汗、涙、唾液等の液体を回収する場合、非侵襲的手法により、体内生体情報等を好適に取得することができる。特に、前述したような刺激応答性ゲルを含む材料で構成されたセンサー３（ゲルセンサー）を採用することにより、乳酸、糖類（例えば、グルコース等）等の各種化合物に関する情報を好適に得ることができる。
【０１８４】
また、液体回収装置は、例えば、細胞培養モニター、発酵モニター等として用いられるものであってもよい。
【０１８５】
細胞培養を行う際、系内に乳酸のような酸性物質を蓄積されていくと、培養液の酸性度が高まり、培養細胞がダメージを受けることがある。これに対し、液体回収装置を用いることで、乳酸のような酸性物質を特定成分として好適に検出することができるため、細胞培養モニターに好適に適用することができる。
【０１８６】
また、漬物、ヨーグルト等の発酵食品の製造等には、乳酸発酵等が利用されている。したがって、発酵により生成された成分（乳酸等）を検出することができれば、発酵の進行度を好適に判断することができ、発酵の程度を好適に制御することができる。
【０１８７】
これに対し、液体回収装置を用いることで、乳酸のような発酵により生成される成分を特定成分として好適に検出することができるため、発酵モニターに好適に適用することができる。
【０１８８】
《液体回収装置の使用方法》
次に、液体回収装置の使用方法について説明する。
【０１８９】
図３は、液体回収装置の使用方法の好適な実施形態を示すフローチャートである。
図３に示すように、本実施形態の液体回収装置の使用方法は、被着体に前述したような液体回収装置を装着する液体回収装置装着工程と、液体回収装置の回収部から液体を回収し、回収部で回収した液体を収容部に導く液体回収工程と、収容部に配されたセンサーにより前記液体中に含まれる成分を検出する検出工程とを有している。
【０１９０】
＜液体回収装置装着工程＞
液体回収装置装着工程では、被着体に液体回収装置を装着する。
【０１９１】
前述したように液体回収装置は、被着体に装着されることで回収部と収容部とで形成される領域を負圧とすることが可能に構成されているため、本工程において、負圧により、液体回収装置と被着体とを密着させることができる。
【０１９２】
＜液体回収工程＞
液体回収工程では、被着体に装着された液体回収装置の回収部から液体を回収し、回収部で回収した液体を収容部に導く。
【０１９３】
前述したように液体回収装置は、被着体への装着状態において、回収部と収容部とで形成される領域が負圧とされているため、本工程において、被着体から供給された液体を回収部から効率よく回収し、かつ、回収部で回収した液体を効率よく収容部に導くことができる。特に、液体回収装置の構造が複雑化することを抑制しつつ、効率よく液体を回収することができる。
【０１９４】
＜検出工程＞
検出工程では、前記工程で収容部に導入された液体を、収容部に配されたセンサーと接触させることにより、液体中に含まれる成分を検出する。
【０１９５】
前述したように、液体回収装置では、被着体から供給された液体を効率よく回収し、収容部に導くことができるため、液体を、特定成分を効率よく検出に利用することができる。言い換えると、被着体から供給された液体が少量であっても効率よく特定成分の検出を行うことができる。
【０１９６】
また、例えば、液体回収装置を用いて、所定の運動時に被着体としての皮膚から汗の回収、汗に含まれる特定成分の検出を行う場合において、汗に含まれる特定成分（例えば、乳酸等）を検出対象とし、当該特定成分が所定濃度になるまでの時間を測定することにより、運動時の負荷に対する耐性を評価することができる。より具体的には、所定の運動を繰り返し行う場合に、特定成分が所定濃度になるまでの時間が長くなればなるほど、運動時の負荷に対する耐性が高いものとして評価することができる。
【０１９７】
このようにして、運動時の負荷に対する耐性を評価する場合、測定ごとに、液体回収装置を交換するのが好ましい。
【０１９８】
以上、好適な実施形態について説明したが、これらに限定されるものではない。
例えば、液体回収装置は、前述した以外の構成を備えるものであってもよい。
【０１９９】
例えば、液体回収装置は、前述した回収部および収容部を備えた液体回収装置本体に加え、当該液体回収装置本体を被着体に固定する機能を有する固定用バンド（固定用ベルト）を備えるものであってもよい。
【０２００】
前述したように、負圧による吸着力により、液体回収装置を被着体に好適に固定することができるものであるが、固定用バンド（固定用ベルト）を備えることにより、液体回収装置の被着体に対する固定力をより優れたものとすることができ、液体回収装置に揺れ等の外力が加わる場合であっても、液体回収装置と被着体との密着状態を好適に保持することができる。
【０２０１】
また、液体回収装置は、構成部材の一部が、交換可能に構成されたものや、取り外しおよび再装着が可能に構成されたものであってもよい。例えば、液体回収装置において、センサーや可撓性材料部は、交換可能、または、取り外しおよび再装着が可能に構成されたものであってもよい。
【０２０２】
また、前述した実施形態では、センサーを構成する刺激応答性ゲル材料は、液体回収装置の使用前の状態においても、ゲル状態をなすものである場合について代表的に説明したが、刺激応答性ゲル材料は、液体回収装置の使用時にゲル状態をなすものであればよく、例えば、液体回収装置の保存時等においては、ゲル状態をなしていないもの（例えば、乾燥状態のもの）であってもよい。このような場合、例えば、液体回収装置の使用に先立ち、ゲル材料の溶媒を構成すべき液体等を刺激応答性ゲル材料に付与することにより、ゲル状態をなすものとすることができる。
【０２０３】
また、前述した実施形態では、液体回収装置がゲルセンサーを備えるものである場合について中心的に説明したが、液体回収装置が備えるセンサーは、ゲルセンサー以外のセンサーであってもよい。
【０２０４】
また、液体回収装置は、センサーを備えていないものであってもよい。
また、前述した実施形態では、吸盤状の可撓性材料部を変形させることにより、回収部と収容部とで形成される領域を負圧にする構成について中心的に説明したが、前記領域を負圧とするための構成は、これに限定されず、例えば、ポンプを用いて前記領域を負圧とするものであってもよい。
【符号の説明】
【０２０５】
１０…液体回収装置、１…回収部、１１…可撓性材料部、１２…断面積減少部（断面積漸減部）、１３…第１の開口部、１４…第２の開口部、２…収容部、２２…硬質材料部、３…センサー、５０…被着体
【図１】
2017063973.tif 000003
【図２】
2017063973.tif 000004
【図３】
2017063973.tif 000005